【手続補正書】
【提出日】平成27年3月19日(2015.3.19)
【手続補正１】
【補正対象書類名】特許請求の範囲
【補正対象項目名】全文
【補正方法】変更
【補正の内容】
【特許請求の範囲】
【請求項１】
複数の選択可能な電力モードで動作可能なデバイスを用いて、
地上ベース送信機から捕捉された信号から取得される位相値に少なくとも部分的に基づいてタイミング回路を設定することと、ここにおいて、前記信号はパイロット信号を備え、前記位相値は、前記パイロット信号の１つまたは複数の時間位相測定値に少なくとも部分的に基づいて決定される、
前記信号を捕捉するために使用された受信機の少なくとも一部分がディスエーブルされ、イネーブルなデバイス回路の少なくとも一部分が前記タイミング回路を使用する、低電力モードに、
前記位相値に少なくとも部分的による、前記デバイスが特徴付けられた環境内にあることを示すプロフィールテストが満たされたとの決定、または
前記位相値に少なくとも部分的に基づいた、前記デバイスが制約された動き状態であるとの決定
のうちの少なくとも１つに少なくとも部分的に基づいて、前記デバイスの動作を遷移することと
を備える方法。
【請求項２】
１つまたは複数の属性値にさらに少なくとも部分的に基づいて、前記デバイスの動作を前記低電力モードに遷移することをさらに備える、請求項１に記載の方法。
【請求項３】
前記１つまたは複数の属性値のうち少なくとも１つは、慣性センサまたは環境センサのうち少なくとも１つからの１つまたは複数の信号から取得される、請求項２に記載の方法。
【請求項４】
前記デバイスは、前記低電力モード以外の電力モードで動作する場合に、
前記信号を再捕捉し、前記再捕捉された信号から少なくとも新しい位相値を取得するために前記受信機をイネーブルすることと、
前記新しい位相値に少なくとも部分的に基づいて、前記タイミング回路を再設定することと、
前記再設定されたタイミング回路を使用して前記低電力モードで前記デバイスを動作することと
をさらに備える、請求項１に記載の方法。
【請求項５】
前記信号の再捕捉の失敗に応答して、第２の信号から第２の位相値を取得し、前記第２の位相値に少なくとも部分的に基づいて前記タイミング回路を再設定するために、少なくとも１つの他の地上ベース送信機から前記第２の信号を捕捉しようと試みることと、
前記再設定されたタイミング回路を使用して前記低電力モードで前記デバイスを動作することと
をさらに備える、請求項４に記載の方法。
【請求項６】
前記デバイスは、前記低電力モード以外の電力モードで動作する場合に、
複数の地上ベース送信機から送信された信号の探索を実行するために前記受信機を使用することと、
前記探索で識別された複数の信号から、前記複数の信号に対する対応信号安定性値の比較に少なくとも部分的に基づいて、前記信号を選択することと
をさらに備える、請求項１に記載の方法。
【請求項７】
前記信号安定性値のうちの少なくとも１つは、
受信信号のタイプ、受信信号強度測定値、受信信号位相ドリフト測定値、受信信号周波数、受信信号周波数安定性、受信信号利用性測定値、送信機位置不確定性、送信機レンジ、送信機電力、送信機のタイプ、送信機アンテナのタイプのうち少なくとも１つに少なくとも部分的に基づく、請求項６に記載の方法。
【請求項８】
前記デバイスは、前記低電力モード以外の電力モードで動作する場合に、
１つまたは複数の地上ベース送信機のために、基地局アルマナックまたは隣接リストのうち少なくとも１つの少なくとも一部分にアクセスすることと、
前記少なくとも前記一部分に少なくとも部分的に基づいて前記信号を選択することと
をさらに備える、請求項１に記載の方法。
【請求項９】
前記デバイスが前記低電力モード以外の電力モードで動作している間、送信機、または、前記受信機のうち少なくとも１つの使用をイネーブルすることをさらに備える、請求項１に記載の方法。
【請求項１０】
複数の選択可能な電力モードで動作可能なデバイスでの使用のための装置であって、
地上ベース送信機から捕捉される信号から取得される位相値に少なくとも部分的に基づいてタイミング回路を設定するための手段と、ここにおいて、前記信号は、パイロット信号を備え、前記位相値は、前記パイロット信号の１つまたは複数の時間位相測定値に少なくとも部分的に基づいて決定される、
前記位相値に少なくとも部分的による、前記デバイスが特徴付けられた環境内にあることを示すプロフィールテストが満たされたとの決定、または
前記位相値に少なくとも部分的に基づいた、前記デバイスが制約された動き状態であるとの決定
のうちの少なくとも１つに少なくとも部分的に基づいて、前記デバイスの動作を低電力モードに遷移するための手段と、
を備え、前記デバイスが前記低電力モードで動作している間、前記信号を捕捉するために使用された受信機の少なくとも一部分は、ディスエーブルされ、イネーブルなデバイス回路の少なくとも一部分は、前記タイミング回路を使用する、装置。
【請求項１１】
１つまたは複数の属性値にさらに少なくとも部分的に基づいて、前記デバイスの動作を前記低電力モードに遷移するための手段をさらに備える、請求項１０に記載の装置。
【請求項１２】
前記１つまたは複数の属性値のうち少なくとも１つは、慣性センサまたは環境センサのうち少なくとも１つからの１つまたは複数の信号から取得される、請求項１１に記載の装置。
【請求項１３】
前記デバイスが前記低電力モード以外の電力モードで動作する場合に、
前記信号を再捕捉し、前記再捕捉された信号から少なくとも新しい位相値を取得しようと試みる手段と、
前記新しい位相値に少なくとも部分的に基づいて、前記タイミング回路を再設定するための手段と、
前記再設定されたタイミング回路を使用して前記低電力モードで前記デバイスを動作するための手段と
をさらに備える、請求項１０に記載の装置。
【請求項１４】
前記信号の再捕捉の失敗に応答して、少なくとも１つの他の地上ベース送信機から第２の信号を捕捉し、前記第２の信号から第２の位相値を取得しようと試みるための手段と、
前記第２の位相値に少なくとも部分的に基づいて、前記タイミング回路を再設定するための手段と、
前記再設定されたタイミング回路を使用して前記低電力モードで前記デバイスを動作することと
をさらに備える、請求項１３に記載の装置。
【請求項１５】
前記デバイスが前記低電力モード以外の電力モードで動作する場合に、
複数の地上ベース送信機から送信された信号の探索を実行するための手段と、
前記探索で識別された複数の信号から前記信号を選択するための手段と
をさらに備える、請求項１０に記載の装置。
【請求項１６】
複数の選択可能な電力モードで動作可能なデバイスであって、
受信機と、
タイミング回路と、
処理ユニットと
を備え、前記処理ユニットは、
前記受信機を使用して、地上ベース送信機から捕捉される信号から取得される位相値に少なくとも部分的に基づいて前記タイミング回路を設定することと、ここにおいて、前記信号は、パイロット信号を備え、前記位相値は、前記パイロット信号の１つまたは複数の時間位相測定値に少なくとも部分的に基づいて決定される、
前記受信機の少なくとも一部分がディスエーブルされ、イネーブルなデバイス回路の少なくとも一部分が前記タイミング回路を使用する、低電力モードに、
前記位相値に少なくとも部分的による、前記デバイスが特徴付けられた環境内にあることを示すプロフィールテストが満たされたとの決定、または
前記位相値に少なくとも部分的に基づいた、前記デバイスが制約された動き状態であるとの決定
のうちの少なくとも１つに少なくとも部分的に基づいて、前記デバイスの動作を遷移することと
を行う、デバイス。
【請求項１７】
前記処理ユニットは、
１つまたは複数の属性値にさらに少なくとも部分的に基づいて、前記デバイスの動作を前記低電力モードにさらに遷移することをさらに行う、請求項１６に記載のデバイス。
【請求項１８】
慣性センサまたは環境センサのうち少なくとも１つをさらに備え、
前記１つまたは複数の属性値のうち少なくとも１つは、前記慣性センサまたは前記環境センサのうち少なくとも１つからの１つまたは複数の信号から取得される、請求項１７に記載のデバイス。
【請求項１９】
前記処理ユニットは、前記デバイスが前記低電力モード以外の電力モードで動作する場合に、
前記受信機を使用して前記信号を再捕捉し、前記信号から少なくとも新しい位相値を取得しようと試みることと、
前記新しい位相値に少なくとも部分的に基づいて、前記タイミング回路を再設定することと、
前記再設定されたタイミング回路を使用して前記低電力モードで前記デバイスを動作することと
をさらに行う、請求項１６に記載のデバイス。
【請求項２０】
前記処理ユニットは、
前記信号の再捕捉の失敗に応答して、前記受信機を使用して、少なくとも１つの他の地上ベース送信機から第２の信号を捕捉し、前記第２の信号から第２の位相値を取得しようと試みることと、
前記第２の位相値に少なくとも部分的に基づいて、前記タイミング回路を再設定することと、
前記再設定されたタイミング回路を使用して前記低電力モードで前記デバイスを動作することと
をさらに行う、請求項１９に記載のデバイス。
【請求項２１】
前記処理ユニットは、前記デバイスが前記低電力モード以外の電力モードで動作する場合に、
前記受信機を使用して、複数の地上ベース送信機から送信された信号の探索を実行することと、
前記探索で識別された複数の信号から、前記複数の信号に対する対応信号安定性値の比較に少なくとも部分的に基づいて、前記信号を選択することと
をさらに行う、請求項１６に記載のデバイス。
【請求項２２】
前記処理ユニットは、前記デバイスが前記低電力モード以外の電力モードで動作する場合に、
１つまたは複数の地上ベース送信機のために、基地局アルマナックまたは隣接リストのうち少なくとも１つの少なくとも一部分にアクセスすることと、
前記少なくとも前記一部分に少なくとも部分的に基づいて前記信号を選択することと
をさらに行う、請求項１６に記載のデバイス。
【請求項２３】
送信機をさらに備え、
前記デバイスが前記低電力モード以外の電力モードで動作する場合に、前記処理ユニットは、
前記送信機または前記受信機のうち少なくとも１つの使用をイネーブルすることをさらに行う、請求項１６に記載のデバイス。
【請求項２４】
コンピュータ実装可能命令を備えた非一時的なコンピュータ可読媒体であって、前記コンピュータ実装可能命令は、
地上ベース送信機から捕捉された信号から取得される位相値に少なくとも部分的に基づいてタイミング回路を設定することと、ここにおいて、前記信号はパイロット信号を備え、前記位相値は、前記パイロット信号の１つまたは複数の時間位相測定値に少なくとも部分的に基づいて決定される、
前記位相値に少なくとも部分的による、デバイスが特徴付けられた環境内にあることを示すプロフィールテストが満たされたとの決定、または
前記位相値に少なくとも部分的に基づいた、前記デバイスが制約された動き状態であるとの決定
のうちの少なくとも１つに少なくとも部分的に基づいて、前記デバイスの動作を低電力モードに遷移することと
を行うように前記デバイスの処理ユニットによって実行可能であり、前記デバイスが前記低電力モードで動作している間、前記信号を捕捉するために使用された受信機の少なくとも一部分は、ディスエーブルされ、イネーブルなデバイス回路の少なくとも一部分は、前記タイミング回路を使用する、非一時的なコンピュータ可読媒体。
【請求項２５】
前記コンピュータ実装可能命令は、
１つまたは複数の属性値にさらに少なくとも部分的に基づいて、前記デバイスの動作を前記低電力モードに遷移することを行うように前記処理ユニットによってさらに実行可能である、請求項２４に記載の非一時的なコンピュータ可読媒体。
【請求項２６】
前記１つまたは複数の属性値のうち少なくとも１つは、慣性センサまたは環境センサのうち少なくとも１つからの１つまたは複数の信号から取得される、請求項２５に記載の非一時的なコンピュータ可読媒体。
【請求項２７】
前記コンピュータ実装可能命令は、前記デバイスが前記低電力モード以外の電力モードで動作する場合に、
少なくとも新しい位相値を取得するために前記信号を再捕捉しようと試みることと、
前記新しい位相値に少なくとも部分的に基づいて、前記タイミング回路を再設定することと、
前記再設定されたタイミング回路を使用して前記低電力モードで前記デバイスを動作することと
を行うように前記処理ユニットによってさらに実行可能である、請求項２４に記載の非一時的なコンピュータ可読媒体。
【請求項２８】
前記コンピュータ実装可能命令は、
前記信号の再捕捉の失敗に応答して、第２の信号についての第２の位相値を取得するために、前記受信機を使用して、少なくとも１つの他の地上ベース送信機から前記第２の信号を捕捉しようと試みることと、
前記第２の位相値に少なくとも部分的に基づいて、前記タイミング回路を再設定することと、
前記再設定されたタイミング回路を使用して前記低電力モードで前記デバイスを動作することと
を行うように前記処理ユニットによってさらに実行可能である、請求項２７に記載の非一時的なコンピュータ可読媒体。
【請求項２９】
前記コンピュータ実装可能命令は、前記デバイスが、前記低電力モード以外の電力モードで動作する場合に、
複数の地上ベース送信機から送信された信号の探索を実行するために前記受信機を開始することと、
前記探索で識別された複数の信号から、前記複数の信号に対する対応信号安定性値の比較に少なくとも部分的に基づいて、前記信号を選択することと
を行うように前記処理ユニットによってさらに実行可能である、請求項２４に記載の非一時的なコンピュータ可読媒体。
【請求項３０】
前記コンピュータ実装可能命令は、前記デバイスが、前記低電力モード以外の電力モードで動作している場合に、
１つまたは複数の地上ベース送信機のために、基地局アルマナックまたは隣接リストのうち少なくとも１つの少なくとも一部分にアクセスすることと、
前記少なくとも前記一部分に少なくとも部分的に基づいて前記信号を選択することと
を行うように前記処理ユニットによってさらに実行可能である、請求項２４に記載の非一時的なコンピュータ可読媒体。
【手続補正２】
【補正対象書類名】明細書
【補正対象項目名】００７９
【補正方法】変更
【補正の内容】
【００７９】
[0085]よって、請求される主題が、開示された特定の例に限定されるものではないこと、しかしながら、そのような請求される主題はまた、添付の請求項の範囲内にあるすべての態様およびその同等物を含みうること、が意図される。
以下に本願発明の当初の特許請求の範囲に記載された発明を付記する。
［Ｃ１］
複数の選択可能な電力モードで動作可能なデバイスを用いて、
地上ベース送信機から捕捉された信号から取得される１つまたは複数の属性値に含まれる位相値に少なくとも部分的に基づいてタイミング回路を設定することと、
前記１つまたは複数の属性値に少なくとも部分的に基づいて、前記信号を捕捉するために使用された受信機の少なくとも一部分がディスエーブルされ、イネーブルなデバイス回路の少なくとも一部分が前記タイミング回路を使用する、低電力モードに前記デバイスの動作を選択的に遷移することと
を備える方法。
［Ｃ２］
前記デバイスが特徴付けられた環境内にあることを示す、前記１つまたは複数の属性値がプロフィールテストを満たすとの決定に少なくとも部分的に基づいて、前記デバイスの動作を前記低電力モードに遷移することをさらに備える、Ｃ１に記載の方法。
［Ｃ３］
前記デバイスが制約された動き状態であるとの決定に少なくとも部分的に基づいて、前記デバイスの動作を前記低電力モードに遷移することをさらに備える、Ｃ１に記載の方法。
［Ｃ４］
前記１つまたは複数の属性値のうち少なくとも１つは、慣性センサまたは環境センサのうち少なくとも１つからの１つまたは複数の信号から取得される、Ｃ１に記載の方法。
［Ｃ５］
前記デバイスは、前記低電力モード以外の電力モードで動作する場合に、
前記信号を再捕捉し、前記再捕捉された信号から少なくとも新しい位相値を取得するために前記受信機をイネーブルすることと、
前記新しい位相値に少なくとも部分的に基づいて、前記タイミング回路を再設定することと、
前記再設定されたタイミング回路を使用して前記低電力モードで前記デバイスを動作することと
をさらに備える、Ｃ１に記載の方法。
［Ｃ６］
前記信号の再捕捉の失敗に応答して、第２の信号から第２の位相値を取得し、前記第２の位相値に少なくとも部分的に基づいて前記タイミング回路を再設定するために、少なくとも１つの他の地上ベース送信機から前記第２の信号を捕捉しようと試みることと、
前記再設定されたタイミング回路を使用して前記低電力モードで前記デバイスを動作することと
をさらに備える、Ｃ５に記載の方法。
［Ｃ７］
前記デバイスは、前記低電力モード以外の電力モードで動作する場合に、
複数の地上ベース送信機から送信された信号の探索を実行するために前記受信機を使用することと、
前記探索で識別された複数の信号から、前記複数の信号に対する対応信号安定性値の比較に少なくとも部分的に基づいて、前記信号を選択することと
をさらに備える、Ｃ１に記載の方法。
［Ｃ８］
前記信号安定性値のうちの少なくとも１つは、
受信信号のタイプ、受信信号強度測定値、受信信号位相ドリフト測定値、受信信号周波数、受信信号周波数安定性、受信信号利用性測定値、送信機位置不確定性、送信機レンジ、送信機電力、送信機のタイプ、送信機アンテナのタイプのうち少なくとも１つに少なくとも部分的に基づく、Ｃ７に記載の方法。
［Ｃ９］
前記デバイスは、前記低電力モード以外の電力モードで動作する場合に、
１つまたは複数の地上ベース送信機のために、基地局アルマナックまたは隣接リストのうち少なくとも１つの少なくとも一部分にアクセスすることと、
前記少なくとも前記一部分に少なくとも部分的に基づいて前記信号を選択することと
をさらに備える、Ｃ１に記載の方法。
［Ｃ１０］
前記デバイスが前記低電力モード以外の電力モードで動作している間、送信機、または、前記受信機のうち少なくとも１つの使用をイネーブルすることをさらに備える、Ｃ１に記載の方法。
［Ｃ１１］
複数の選択可能な電力モードで動作可能なデバイスでの使用のための装置であって、
地上ベース送信機から捕捉される信号から取得される１つまたは複数の属性値に含まれる位相値に少なくとも部分的に基づいてタイミング回路を設定するための手段と、
前記１つまたは複数の属性値に少なくとも部分的に基づいて、前記デバイスの動作を低電力モードに遷移するための手段と、
を備え、前記デバイスが前記低電力モードで動作している間、前記信号を捕捉するために使用された受信機の少なくとも一部分は、ディスエーブルされ、イネーブルなデバイス回路の少なくとも一部分は、前記タイミング回路を使用する、装置。
［Ｃ１２］
前記デバイスが特徴付けられた環境内にあることを示す、前記１つまたは複数の属性値がプロフィールテストを満たすとの決定に少なくとも部分的に基づいて、前記デバイスの動作を前記低電力モードに遷移するための手段をさらに備える、Ｃ１１に記載の装置。
［Ｃ１３］
前記デバイスが制約された動き状態であるとの決定に少なくとも部分的に基づいて、前記デバイスの動作を前記低電力モードに遷移するための手段をさらに備える、Ｃ１１に記載の装置。
［Ｃ１４］
前記１つまたは複数の属性値のうち少なくとも１つは、慣性センサまたは環境センサのうち少なくとも１つからの１つまたは複数の信号から取得される、Ｃ１１に記載の装置。
［Ｃ１５］
前記デバイスが前記低電力モード以外の電力モードで動作する場合に、
前記信号を再捕捉し、前記再捕捉された信号から少なくとも新しい位相値を取得しようと試みる手段と、
前記新しい位相値に少なくとも部分的に基づいて、前記タイミング回路を再設定するための手段と、
前記再設定されたタイミング回路を使用して前記低電力モードで前記デバイスを動作するための手段と
をさらに備える、Ｃ１１に記載の装置。
［Ｃ１６］
前記信号の再捕捉の失敗に応答して、少なくとも１つの他の地上ベース送信機から第２の信号を捕捉し、前記第２の信号から第２の位相値を取得しようと試みるための手段と、
前記第２の位相値に少なくとも部分的に基づいて、前記タイミング回路を再設定するための手段と、
前記再設定されたタイミング回路を使用して前記低電力モードで前記デバイスを動作することと
をさらに備える、Ｃ１５に記載の装置。
［Ｃ１７］
前記デバイスが前記低電力モード以外の電力モードで動作する場合に、
複数の地上ベース送信機から送信された信号の探索を実行するための手段と、
前記探索で識別された複数の信号から前記信号を選択するための手段と
をさらに備える、Ｃ１１に記載の装置。
［Ｃ１８］
複数の選択可能な電力モードで動作可能なデバイスであって、
受信機と、
タイミング回路と、
処理ユニットと
を備え、前記処理ユニットは、
前記受信することを使用して、地上ベース送信機から捕捉される信号から取得される１つまたは複数の属性値に含まれる位相値に少なくとも部分的に基づいてタイミング回路を設定することと、
前記１つまたは複数の属性値に少なくとも部分的に基づいて、前記受信機の少なくとも一部分がディスエーブルされ、イネーブルなデバイス回路の少なくとも一部分が前記タイミング回路を使用する、低電力モードに前記デバイスの動作を選択的に遷移することと
を行う、デバイス。
［Ｃ１９］
前記処理ユニットは、
前記デバイスが特徴付けられた環境内にあることを示す、前記１つまたは複数の属性値がプロフィールテストを満たすとの決定に少なくとも部分的に基づいて、前記デバイスの動作を前記低電力モードにさらに遷移することをさらに行う、Ｃ１８に記載のデバイス。
［Ｃ２０］
前記処理ユニットは、
前記デバイスが制約された動き状態であるとの決定に少なくとも部分的に基づいて、前記デバイスの動作を前記低電力モードに遷移することをさらに行う、Ｃ１８に記載のデバイス。
［Ｃ２１］
慣性センサまたは環境センサのうち少なくとも１つをさらに備え、
前記１つまたは複数の属性値のうち少なくとも１つは、前記慣性センサまたは前記環境センサのうち少なくとも１つからの１つまたは複数の信号から取得される、Ｃ１８に記載のデバイス。
［Ｃ２２］
前記処理ユニットは、前記デバイスが前記低電力モード以外の電力モードで動作する場合に、
前記受信機を使用して前記信号を再捕捉し、前記信号から少なくとも新しい位相値を取得しようと試みることと、
前記新しい位相値に少なくとも部分的に基づいて、前記タイミング回路を再設定することと、
前記再設定されたタイミング回路を使用して前記低電力モードで前記デバイスを動作することと
をさらに行う、Ｃ１８に記載のデバイス。
［Ｃ２３］
前記処理ユニットは、
前記信号の再捕捉の失敗に応答して、前記受信機を使用して、少なくとも１つの他の地上ベース送信機から第２の信号を捕捉し、前記第２の信号から第２の位相値を取得しようと試みることと、
前記第２の位相値に少なくとも部分的に基づいて、前記タイミング回路を再設定することと、
前記再設定されたタイミング回路を使用して前記低電力モードで前記デバイスを動作することと
をさらに行う、Ｃ２２に記載のデバイス。
［Ｃ２４］
前記処理ユニットは、前記デバイスが前記低電力モード以外の電力モードで動作する場合に、
前記受信機を使用して、複数の地上ベース送信機から送信された信号の探索を実行することと、
前記探索で識別された複数の信号から、前記複数の信号に対する対応信号安定性値の比較に少なくとも部分的に基づいて、前記信号を選択することと
をさらに行う、Ｃ１８に記載のデバイス。
［Ｃ２５］
前記処理ユニットは、前記デバイスが前記低電力モード以外の電力モードで動作する場合に、
１つまたは複数の地上ベース送信機のために、基地局アルマナックまたは隣接リストのうち少なくとも１つの少なくとも一部分にアクセスすることと、
前記少なくとも前記一部分に少なくとも部分的に基づいて前記信号を選択することと
をさらに行う、Ｃ１８に記載のデバイス。
［Ｃ２６］
送信機をさらに備え、
前記デバイスが前記低電力モード以外の電力モードで動作する場合に、前記処理ユニットは、
前記送信機または前記受信機のうち少なくとも１つの使用をイネーブルすることをさらに行う、Ｃ１８に記載のデバイス。
［Ｃ２７］
コンピュータ実装可能命令をその上に記憶した非一時的なコンピュータ可読媒体を備え、前記コンピュータ実装可能命令は、
地上ベース送信機から捕捉された信号から取得される１つまたは複数の属性値に含まれる位相値に少なくとも部分的に基づいてタイミング回路を設定することと、
前記１つまたは複数の属性値に少なくとも部分的に基づいて、デバイスの動作を低電力モードに遷移することと
を行うように前記デバイスの処理ユニットによって実行可能であり、前記デバイスが前記低電力モードで動作している間、前記信号を捕捉するために使用された受信機の少なくとも一部分は、ディスエーブルされ、イネーブルなデバイス回路の少なくとも一部分は、前記タイミング回路を使用する、製品。
［Ｃ２８］
前記コンピュータ実装可能命令は、
前記デバイスが特徴付けられた環境内にあることを示す、前記１つまたは複数の属性値がプロフィールテストを満たしたとの決定に少なくとも部分的に基づいて、前記デバイスの動作を前記低電力モードに遷移することを行うように前記処理ユニットによってさらに実行可能である、Ｃ２７に記載の製品。
［Ｃ２９］
前記コンピュータ実装可能命令は、
前記デバイスが制約された動き状態であるとの決定に少なくとも部分的に基づいて、前記デバイスの動作を前記低電力モードに遷移することを行うように前記処理ユニットによってさらに実行可能である、Ｃ２７に記載の製品。
［Ｃ３０］
前記１つまたは複数の属性値のうち少なくとも１つは、慣性センサまたは環境センサのうち少なくとも１つからの１つまたは複数の信号から取得される、Ｃ２７に記載の製品。
［Ｃ３１］
前記コンピュータ実装可能命令は、前記デバイスが前記低電力モード以外の電力モードで動作する場合に、
少なくとも新しい位相値を取得するために前記信号を再捕捉しようと試みることと、
前記新しい位相値に少なくとも部分的に基づいて、前記タイミング回路を再設定することと、
前記再設定されたタイミング回路を使用して前記低電力モードで前記デバイスを動作することと
を行うように前記処理ユニットによってさらに実行可能である、Ｃ２７に記載の製品。
［Ｃ３２］
前記コンピュータ実装可能命令は、
前記信号の再捕捉の失敗に応答して、第２の信号についての第２の位相値を取得するために、前記受信機を使用して、少なくとも１つの他の地上ベース送信機から前記第２の信号を捕捉しようと試みることと、
前記第２の位相値に少なくとも部分的に基づいて、前記タイミング回路を再設定することと、
前記再設定されたタイミング回路を使用して前記低電力モードで前記デバイスを動作することと
を行うように前記処理ユニットによってさらに実行可能である、Ｃ３１に記載の製品。
［Ｃ３３］
前記コンピュータ実装可能命令は、前記デバイスが、前記低電力モード以外の電力モードで動作する場合に、
複数の地上ベース送信機から送信された信号の探索を実行するために前記受信機を開始することと、
前記探索で識別された複数の信号から、前記複数の信号に対する対応信号安定性値の比較に少なくとも部分的に基づいて、前記信号を選択することと
を行うように前記処理ユニットによってさらに実行可能である、Ｃ２７に記載の製品。
［Ｃ３４］
前記コンピュータ実装可能命令は、前記デバイスが、前記低電力モード以外の電力モードで動作している場合に、
１つまたは複数の地上ベース送信機のために、基地局アルマナックまたは隣接リストのうち少なくとも１つの少なくとも一部分にアクセスすることと、
前記少なくとも前記一部分に少なくとも部分的に基づいて前記信号を選択することと
を行うように前記処理ユニットによってさらに実行可能である、Ｃ２７に記載の製品。